(57)【要約】【課題】  座金部材にブラケット本体部を取り付ける際の取り付け作業を行い易くする。【解決手段】  壁面に固定される座金部材１０と、この座金部材１０を介して前記壁面に固定され、かつ、先端側にアーム２９を有するブラケット本体２０とからなる手摺支持用ブラケット１であって、座金部材１０は、前記壁面に固定するためのビス３０が貫通する貫通孔１１と、ブラケット本体２０をこの座金部材１０に取り付けるためのボルト４０を固定させる本体固定孔１３とを有し、ブラケット本体２０には、座金部材１０に取り付けられる取付座２１が備えられ、この取付座２１は、ボルト４０を取り付ける固定具取付孔２３と、貫通孔１１に対応する位置に形成されてビス３０の頭部３２及び嵌合補助部３３が圧入される嵌合孔２５とを有している。【選択図】      図１
2005098075.tif 000002
【特許請求の範囲】
【請求項１】
壁面に固定される座金部材と、前記座金部材を介して前記壁面に固定され、かつ、先端側に手摺を取り付けるための手摺取付部を有するブラケット本体とからなる手摺支持用ブラケットであって、
前記座金部材は、前記壁面に固定するための固定部材が貫通する貫通孔と、前記ブラケット本体を当該座金部材に取り付けるための本体固定具を固定させる本体固定部とを有し、
前記ブラケット本体には、前記座金部材に取り付けられる取付座が備えられ、この取付座は、前記本体固定具を取り付ける固定具取付部と、前記貫通孔に対応する位置に形成されて前記固定部材の一部が圧入される嵌合部とを有している
ことを特徴とする手摺支持用ブラケット。
【請求項２】
請求項１記載の手摺支持用ブラケットにおいて、
前記壁面に座金部材を固定するための固定部材を備え、
この固定部材は、前記貫通孔に挿通されて前記壁面に固定される軸部と、この軸部より大径の頭部とを備え、
この頭部において前記固定部材が前記取付座の嵌合部に圧入される
ことを特徴とする手摺支持用ブラケット。
【請求項３】
請求項１又は２記載の手摺支持用ブラケットにおいて、
前記固定部材の前記嵌合部と嵌合する部分、及び、前記嵌合部の内周部分のうち、少なくとも一方の部分には、弾性変形可能な素材で形成された嵌合補助部材が備えられた
ことを特徴とする手摺支持用ブラケット。
【請求項４】
壁面に固定される座金部材と、前記座金部材を介して前記壁面に固定され、かつ、先端側に手摺を取り付けるための手摺取付部を有するブラケット本体とからなる手摺支持用ブラケットであって、
前記座金部材は、前記壁面に固定するための固定部材が貫通する貫通孔と、前記ブラケット本体を当該座金部材に取り付けるための本体固定具を固定させる本体固定部と、貫通孔のブラケット本体側開口周囲に座金部材から突出した筒状の嵌合補助凸部とを有し、
前記ブラケット本体には、前記座金部材に取り付けられる取付座が備えられ、この取付座は、前記本体固定具を取り付ける固定具取付部と、前記貫通孔に対応する位置に形成されて、前記嵌合補助凸部が圧入される嵌合部を有していることを特徴とする手摺支持用ブラケット。
【発明の詳細な説明】
【技術分野】
【０００１】
本発明は、建築物の壁面等に取り付けられる手摺を支持する手摺支持用ブラケットに関するものである。
【背景技術】
【０００２】
従来、建築物の壁面に取り付けられる手摺を支持する手摺支持用ブラケットとしては、一般的には、特許文献１に記載されているものが存在する。また、このようなブラケットを着脱容易に取り付ける構成としては、図４に示すものが存在する。
【０００３】
この手摺支持用ブラケット１は、壁面に固定される座金部材１０と、この座金部材１０に取り付けられるブラケット本体２０とを有している。座金部材１０は、この座金部材１０を壁面に取り付けるための固定部材であるビス３０が貫通するための貫通孔１１と、ブラケット本体２０を座金部材１０に取り付けるための本体取付具であるボルト４０が固定されるねじ孔からなる本体固定孔１３とを有している。また、ブラケット本体２０は、座金部材１０に対応した取付座２１と、手摺を取り付ける手摺取付部２７とを備え、この取付座２１にはボルト４０を取り付けるための固定具取付孔２３を備えている。
【０００４】
この手摺支持用ブラケット１の壁面への取り付けは次の手順で行われる。
【０００５】
まず、ビス３０を用いて座金部材１０を前記壁面に取り付ける。次に、座金部材１０の本体固定孔１３とブラケット本体２０の固定具取付孔２３とが対応する位置となる状態でブラケット本体２０を手で支持し、この支持状態を保ったまま、前記ボルト４０を固定具取付孔２３に挿入し、本体固定孔１３にねじ固定する。このような作業を行うことにより、ブラケット本体２０を座金部材１０に取り付ける、手摺支持用ブラケット１を壁面に取り付ける。
【特許文献１】特開平１０−１５２９６２号公報（図１）
【発明の開示】
【発明が解決しようとする課題】
【０００６】
前記のような構成を採ると、座金部材１０にブラケット本体２０を取り付ける際、前述した通り、ブラケット本体２０を手で支えながら行う必要がある。したがって、ブラケット本体２０を座金部材１０に取り付けるとき、少なくとも片手がふさがり、取り付け作業が行い難くなる。
【０００７】
そこで、本発明は、前記座金部材に前記ブラケット本体部を取り付ける際、前記ブラケット本体部を手で支持する必要がない手摺支持用ブラケットを提供することにより、前記取り付け作業を行い易くすることを目的とする。
【課題を解決するための手段】
【０００８】
請求項１記載の発明は、壁面に固定される座金部材と、前記座金部材を介して前記壁面に固定され、かつ、先端側に手摺取付部を有するブラケット本体とからなる手摺支持用ブラケットであって、前記座金部材は、前記壁面に固定するための固定部材が貫通する貫通孔と、前記ブラケット本体を当該座金部材に取り付けるための本体固定具を固定させる本体固定部とを有し、前記ブラケット本体には、前記座金部材に取り付けられる取付座が備えられ、この取付座は、前記本体固定具を取り付ける固定具取付部と、前記貫通孔に対応する位置に形成されて前記固定部材の一部が圧入される嵌合部とを有しているものである。
【０００９】
請求項２記載の発明は、請求項１記載の手摺支持用ブラケットにおいて、前記壁面に座金部材を固定するための固定部材を備え、この固定部材は、前記貫通孔に挿通されて前記壁面に固定される軸部と、この軸部より大径の頭部とを備え、この頭部において前記固定部材が前記取付座の嵌合部に圧入されるものである。
【００１０】
請求項３記載の発明は、請求項１又は２記載の手摺支持用ブラケットにおいて、前記固定部材の前記嵌合部と嵌合する部分、及び、前記嵌合部の内周部分のうち、少なくとも一方の部分には、弾性変形可能な素材で形成された嵌合補助部材が備えられたものである。
【００１１】
請求項４記載の発明は、壁面に固定される座金部材と、前記座金部材を介して前記壁面に固定され、かつ、先端側に手摺を取り付けるための手摺取付部を有するブラケット本体とからなる手摺支持用ブラケットであって、前記座金部材は、前記壁面に固定するための固定部材が貫通する貫通孔と、前記ブラケット本体を当該座金部材に取り付けるための本体固定具を固定させる本体固定部と、貫通孔のブラケット本体側開口周囲に座金部材から突出した筒状の嵌合補助凸部とを有し、前記ブラケット本体には、前記座金部材に取り付けられる取付座が備えられ、この取付座は、前記本体固定具を取り付ける固定具取付部と、前記貫通孔に対応する位置に形成されて、前記嵌合補助凸部が圧入される嵌合部を有していることを特徴とする手摺支持用ブラケットである。
【発明の効果】
【００１２】
請求項１記載の発明によれば、前記ブラケット本体は、前記座金部材に取り付けられる取付座に、前記座金部材の貫通孔に対応する位置に形成されて前記固定部材の一部が圧入される嵌合部を有している。
【００１３】
したがって、前記固定部材で壁面に固定された座金部材に、前記ブラケット本体を取り付けるときにおいては、前記嵌合部に前記固定部材を圧入することのみで前記ブラケット本体を前記座金部材に仮止めし、その後、前記本体固定具で、前記ブラケット本体を前記座金部材に固定することが可能となる。
【００１４】
よって、前記本体固定具で前記ブラケット本体を固定する作業を、前記ブラケット本体を手で支えることなく行うことができ、取り付け作業を行い易くすることが出来る。
【００１５】
請求項３記載の発明によれば、前記固定部材の前記嵌合部と嵌合する部分、及び、前記嵌合部の内周部分のうち、少なくとも一方の部分には、弾性変形可能な素材で形成された嵌合補助部材が備えられているため、前記固定部材を前記嵌合部に圧入させることを円滑に行うことが可能となる。
【００１６】
請求項４記載の発明によれば、座金部材が、貫通孔のブラケット本体側開口周囲に座金部材から突出した筒状の嵌合補助凸部を有し、ブラケット本体が、嵌合補助凸部の圧入される嵌合部を有しているので、座金部材にブラケット本体を取り付けるときにおいては、嵌合部に嵌合補助凸部を圧入することのみでブラケット本体を座金部材に仮止めし、その後、本体固定具で、ブラケット本体を座金部材に固定することが可能となる。
【発明を実施するための最良の形態】
【００１７】
本発明の第１の実施形態につき、図１及び図２を用いて説明する。
【００１８】
まず、図１を用いて手摺支持用ブラケットの概要について説明すると、第１の実施形態に係る手摺支持用ブラケット１は、壁面（図外）に固定される座金部材１０と、この座金部材１０に取り付けられるブラケット本体２０とを有している。
【００１９】
座金部材１０は、略円板状に形成され、この座金部材１０を壁面に取り付けるためのビス３０（固定部材）が貫通するための複数の貫通孔１１と、ブラケット本体２０を座金部材１０に取り付けるためのボルト４０（本体取付具）が固定される複数の本体固定孔１３（本体固定部）とを有している。なお、本体固定孔１３は、ボルト４０を固定すべく、その内周には雌ねじが形成されている。
【００２０】
ブラケット本体２０は、略円板状に形成され、座金部材１０に対応した取付座２１と、手摺を取り付ける手摺取付部２７と、この取付座２１と手摺取付部２７とを接続するアーム２９とを備えている。
【００２１】
取付座２１は、固定具取付孔２３（固定具取付部）と、嵌合孔２５とを備えている。
【００２２】
固定具取付孔２３は、ブラケット本体２０が座金部材１０に取り付けられるときに、座金部材１０の本体固定孔１３に対応する位置に配置されている。そして、ボルト４０がこの固定具取付孔２３と本体固定孔１３に貫入され、座金部材１０とブラケット本体２０とを締結することにより、座金部材１０とブラケット本体２０とが固定される。
【００２３】
嵌合孔２５は、ブラケット本体２０が座金部材１０に取り付けられるときに、前記座金部材１０の貫通孔１１に対応する位置に配置されるとともに、前記ビス３０の頭部３２を貫入可能とする形状に形成されている。
【００２４】
ここで、ビス３０の構成について、図２を用いて説明すると、ビス３０は、雄ねじが形成された軸部３１と、この軸部３１より大径に形成された頭部３２と、軸部３１の一部及び頭部３２の外周を被覆する嵌合補助部３３とを備えている。
【００２５】
嵌合補助部３３は、主に、ポリエチレン等、弾力性を持つ合成樹脂の素材を用いて筒状に成形され、内周部分に軸部３１の外周が圧接可能な軸部被覆部３３ａと、内周部分に頭部３２の外周が圧接可能な頭部被覆部３３ｂとを備えている。また、頭部被覆部３３ｂは、ブラケット本体２０の嵌合孔２５に圧入しやすいように、その先端側（図２においては上側）の外周は、下側の外周と比較して若干小さく形成されている。
【００２６】
そして、軸部３１及び頭部３２が嵌合補助部３３の内周に圧入されることにより、軸部３１の一部及び頭部３２の外周が、嵌合補助部３３によって被覆される。
【００２７】
次に、この手摺支持用ブラケット１を壁面への取り付けるときの手順について説明する。
【００２８】
まず、ビス３０を貫通孔１１内に圧入し、軸部３１の先端を壁面に螺入することにより、座金部材１０を前記壁面に取り付ける。なお、この状態では、嵌合補助部３３の軸部被覆部３３ａは、貫通孔１１内に圧入されている。次に、ブラケット本体２０の嵌合孔２５に、ビス３０の頭部３２及び頭部被覆部３３ｂの外周を圧入させて、頭部被覆部３３ｂを嵌合孔２５の周面に圧接させ、ブラケット本体２０を座金部材１０に仮止めする。このとき、頭部被覆部３３ｂは、頭部被覆部３３ｂを形成する素材が持つ弾性力により、圧縮される状態で弾性変形する。最後に、前記ボルト４０を固定具取付孔２３に取り付けて、このボルト４０を本体固定孔１３に固定することにより、ブラケット本体２０を座金部材１０に固定する。
【００２９】
前記の構成を採ると、壁面に固定された座金部材１０に、前記ブラケット本体２０を取り付けるときにおいては、ブラケット本体２０の嵌合孔２５に、ビス３０の頭部３２及び頭部被覆部３３ｂを圧入させて、ブラケット本体２０を座金部材１０に仮止めした状態で、前記ボルト４０でブラケット本体２０を座金部材１０に固定することが可能となる。
【００３０】
したがって、ブラケット本体２０を座金部材１０に固定する際、ブラケット本体２０を手で支えることなく行うことができ、取り付け作業が行い易くなる。
【００３１】
また、ビス３０の頭部３２の外周は、弾力性をもつ素材で形成された頭部被覆部３３ｂにより被覆されているため、このビス３０をブラケット本体２０の嵌合孔２５に圧入させるとき、嵌合補助部３３を形成した素材が持つ弾性力により、圧縮される状態で弾性変形する。したがって、ビス３０を嵌合孔２５に圧入することを、円滑に行うことが可能となる。
【００３２】
次に、図３を用いて本発明の第２の実施形態について説明する。
【００３３】
図３は、本発明の第２の実施形態に係る手摺支持用ブラケット１ｂの構成を示す斜視図である。なお、以下の説明においては、第１の実施形態に係る手摺支持用ブラケット１と同構成のものについては、同一符号を付するのみとし、その詳細な説明は省略する。
【００３４】
図３に示すように、本発明の第２の実施形態に係る手摺支持用ブラケット１ｂにおいては、座金部材１０ｂは、貫通孔１１のブラケット本体側開口周囲に座金部材１０ｂから突出した筒状の嵌合補助凸部３５を有している。
【００３５】
そして、ブラケット本体２０ｂの取付座２１には、貫通孔１１に対応する位置に形成されて、嵌合補助凸部３５が圧入される嵌合部２５ｂが設けられている。
【００３６】
また、第２の実施形態に係る手摺支持用ブラケット１ｂにおいては、筒状の嵌合補助凸部３５を有しない貫通孔１１に対しては嵌合部２５の隙間を埋めるためのキャップ３６が螺着されるように構成されている。
【００３７】
この本発明の第２の実施形態に係る手摺支持用ブラケット１ｂによれば、座金部材１０ｂが、貫通孔１１のブラケット本体側開口周囲に座金部材１０ｂから突出した筒状の嵌合補助凸部３５を有し、ブラケット本体２０ｂが、嵌合補助凸部３５の圧入される嵌合部２５ｂを有しているので、座金部材１０ｂにブラケット本体２０ｂを取り付けるときにおいては、嵌合部２５ｂに嵌合補助凸部３５を圧入することのみでブラケット本体２０ｂを座金部材１０ｂに仮止めし、その後、本体固定具４０で、ブラケット本体２０ｂを座金部材１０ｂに固定することが可能となる。
【００３８】
以上、本発明の実施形態について説明したが、本発明の具体的構成は前記実施形態に限定されず、特許請求の範囲内で種々変更可能である。以下に、他の実施形態について例示する。なお、以下に記載した実施形態において、前記実施形態と同構成のものについては、同一符号を付するのみとし、その詳細な説明は省略する。
【００３９】
一．嵌合補助部３３は、必ずしも設ける必要はなく、ブラケット本体２０の嵌合孔２５にビス３０の頭部３２が直接圧入され、嵌合孔２５と頭部３２とが直接圧接する形状に形成してもよい。しかしながら、頭部３２の外周に嵌合補助部３３の頭部被覆部３３ｂが取り付けられている方が、ビス３０を嵌合孔２５内に円滑に圧入することが可能となる。
【００４０】
二．嵌合補助部３３は、必ずしもビス３０に設ける必要はなく、ブラケット本体２０の嵌合孔２５の内周に形成するようにしてもよい。
【００４１】
三．嵌合補助部３３は、必ずしも、弾力性を持つ合成樹脂の素材を用いて成形する必要はなく、金属等、様々な素材を用いて成形してもよい。
【００４２】
四．本発明の固定部材は、必ずしもビスに限定されるものではなく、例えば、釘、楔等にしてもよい。
【００４３】
五．本発明の本体固定具は、必ずしもボルトに限定されるものではなく、ピン等にしてもよい。
【図面の簡単な説明】
【００４４】
【図１】本発明の一実施形態の手摺支持用ブラケットの概要を示した斜視図である。
【図２】本発明の一実施形態の手摺支持用ブラケットの取り付けに使用するビスを示した図である。
【図３】本発明の第２の実施形態に係る手摺支持用ブラケットの構成を示す斜視図である。
【図４】従来の手摺支持用ブラケットの概要を示した斜視図である。
【符号の説明】
【００４５】
１、１ｂ        手摺支持用ブラケット
１０、１０ｂ    座金部材
１１    貫通孔
１３    本体固定孔（本体固定部）
２０、２０ｂ    ブラケット本体
２１    取付座
２３    固定具取付孔（固定具取付部）
２５、２５ｂ    嵌合孔（嵌合部）
２７    手摺取付部
３０    ビス（固定部材）
３１    軸部
３２    頭部
３３    嵌合補助部（嵌合補助部材）
３５    嵌合補助凸部
４０    ボルト（本体固定具）
【図１】
2005098075.tif 000003
【図２】
2005098075.tif 000004
【図３】
2005098075.tif 000005
【図４】
2005098075.tif 000006